(57)【要約】【課題】製作が簡単で、良好な拡張性を持つだけでなく、ライン部過多による整理困難の問題を克服する電源供給器の出力ライン構造を提案する。【解決手段】本考案の電源供給器の出力ライン構造は、電源供給器カバーから、電源出力の為の出力ライン構造を出すものであり、その出力ライン構造は束状接続ライン、マザーボード電源ライン及び少なくとも一組の電源ライン部により構成され、前記の束状接続ラインには数個の接続体を設け、電源ライン部と接続するものであり、電源ライン部のもう一端には異なる拡張デバイスの規格に対応する電源コネクタを設け、よって、拡張デバイスに対応する電源ライン部の数を自由に増加することが可能である上、便利に整理できる電源供給器の出力ライン構造である。【選択図】図３
0003123340.tif 000002
【実用新案登録請求の範囲】
【請求項１】
電源ユニットカバー内に変圧及び電力安定の為の電源回路を内蔵、カバー上の開孔から電源出力の為の出力ライン構造を出しており、その出力ライン構造とは、束状接続ライン、マザーボード電源ライン及び少なくとも一組の電源ライン部により構成される電源供給器の出力ライン構造において、
前記束状接続ラインは、その末端に数個の接続体を設け、
前記マザーボード電源ラインは、マザーボード上の対応する差込内に接続するもので、且つ、前述束状接続ラインと同一開孔より出され、
前記電源ライン部の一端は、接続体内に差し込む接続頭とし、もう一端は、少なくとも一つの異なる拡張デバイスの規格に対応する電源コネクタに接続することを特徴とする電源供給器の出力ライン構造。
【請求項２】
請求項１記載の電源供給器の出力ライン構造において、束状接続ラインは、一本の蛸足接続ラインとすることも可能であり、蛸足接続ラインの末端には蛸足接続体を接続、数多くの電源ライン部を接続可能とすることを特徴とする電源供給器の出力ライン構造。
【請求項３】
請求項１または請求項２記載の電源供給器の出力ライン構造において、マザーボード電源ラインは、単独でマザーボード差込み近くに開けた別の開孔から出すことを特徴とする電源供給器の出力ライン構造。
【考案の詳細な説明】
【技術分野】
【０００１】
本考案は、電源供給器の出力ライン構造に関するもので、特に電源供給器の電源を出力する為の出力ライン構造であり、束状接続ライン及び数本の異なる拡張デバイスの規格に対応する電源コネクタを具える電源ライン部を提案する。
【背景技術】
【０００２】
現在、パソコンの普及率は、既に各家庭もしくは各オフィスには必ずあるような状況となっており、パソコン本体内部には、シーピーユー（ＣＰＵ）、マザーボード、インターフェイスカード（グラフィックカード、サウンドカード等）、ハードディスクドライブ、フロッピー（登録商標）ディスクドライブ及び光ディスクデバイス等が内蔵されている故、電源供給器による電力供給が必須であり、それによって作動される。図１に示すとおり、一般に市場で見られるパソコン用の電源供給器aにおいて、そのカバーa1には変圧及び変圧安定用の電源回路a2を内蔵し、その電源回路a2からカバーa1外部に向けて一束の電源ラインによって構成される電源ライン部a3を延伸し、各電源ライン部a3の末端には一つもしくは数個の異なる拡張デバイスの規格に相対する電源コネクタa4を設けてあり、その電源コネクタa4はマザーボードに接続する24ピンの電源コネクタa4、一般のハードディスクドライブ及び光ディスクデバイスに接続する４ピン周辺電源接続電源コネクタa4、フロッピー（登録商標）ディスクドライブに接続する１５ピンフロッピー（登録商標）ディスクドライブ電源コネクタa4、現在最新規格のserial ATA１５ピン電源コネクタのハードデバイスで専用する電源コネクタa4等を含み、また、将来の拡張デバイスの需要に基づけば、その他規格の電源コネクタa4が出現する可能性はある。前述の従来品電源供給器の設計において、多組の電源ラインが一緒に設置されており、その数量と電源コネクタの規格は全て固定しており、パソコン技術の発達に従い、各個人の希望も徐々にアップする状況において、それら電源供給器は使用において不足故に淘汰されることも多く、使用者は、続けて拡張できない時は、電源供給器も一緒に交換せねばならず、資源の浪費となる。また、それらの電源供給器は拡張デバイスの増加に対応させる状況の下、同一箇所から出ている電源ラインは、パソコンカバー内部で複雑に入り混じった構造となり、それは整理が難しいばかりでなく、カバー内部の散熱不良の問題を引き起こしている。
【０００３】
前述したとおり、使用者が従来の電源供給器を使用する場合、前述二つの問題がある為、市場においては、拡張式電源ラインを具える電源供給器が登場した。これは、図２に示すとおり、電源供給器aのカバーa1には変圧及び電圧安定用の電源回路a2を内蔵し、電源供給器a一端には若干の雌コネクタa5、マザーボード電源ラインa6及び数個の電源ライン部a7を設け、また、単一の電源ライン部a7の一端には雌コネクタa5に差し込む雄コネクタa71を、もう一端には電源コネクタa72を接続し、並びに、単一の電源ライン部a7の設計は、多数の電源コネクタa72に接続する形式をとることもでき、よって、電源ライン部a7を利用して多数の異なる拡張デバイスへの電源を提供可能となる。それは実際使用において、電源ライン部a7の雄コネクタa71を電源ユニットa上の任意の雌コネクタa5に差し込み電力を取るものであり、更に電源ライン部a7のもう一端の電源コネクタa72は拡張デバイスと相互に接続、それは使用において非常に便利であり、パソコンカバー内部の回路が混乱することもなく、将来の拡張性にも非常に助けとなるものであるが、雌コネクタの製造工程は非常に複雑で、また別に回路ボードを作製せねばならず、コスト高であるばかりか、ショートが発生し易い故、改良の必要性がある。
【考案の開示】
【考案が解決しようとする課題】
【０００４】
本考案の主目的は、製作が簡単な電源供給器の電源を出力するライン構造を提案することにあり、良好な拡張性を持つばかりか、ライン過多による整理困難を克服できる電源供給器の出力ライン構造である。
【０００５】
本考案の電源供給器の出力ライン構造は、電源供給器カバー内に変圧及び電圧安定の電源回路を内蔵し、且つ、カバー上に開けた開孔から電力出力の為の出力ライン構造を出し、その出力ライン構造は、束状接続ライン、マザーボード電源ライン及び少なくとも一組の電源ライン部により構成される。その内、束状接続ラインの末端は、数個の接続体に接続、マザーボード電源ラインはマザーボード上の対応する差込み内に接続、電源ライン部の一端は接続体内の接続頭に差し込み、もう一端は少なくともひとつの異なる拡張デバイスの規格に対応する電源コネクタに接続する。
【０００６】
前述の構造に基づき、束状接続ラインは直接電源供給器内部の電源回路から延伸接続するものであり、よって回路ボードもしくはその他複雑な回路に対応させる為の特別設計をする必要がなく、その製作は簡単で作業時間を減少させる。組み合わせて使用する場合、電源ライン部一端の接続頭は、束状接続ラインの接続体内に差し込んで電力を取り、続いて、電源ライン部のもう一端の電源コネクタを更に異なる拡張デバイスに接続して電力供給、電源コネクタの数量は需要に応じて増減可能で、更には異なる電源ライン部に交換することもできる。よって、本考案は良好な拡張性を持っており、将来の拡張デバイスの規格の変化に応じて簡単に問題を解決する。また、本考案の電源ライン部は、一回で多くの異なる規格の電源コネクタを提供することができ、電源コネクタ不足の心配なく、従来品の電源供給器が回路配置の混乱の為にパソコンの作動を妨げる問題は発生しない。
【課題を解決するための手段】
【０００７】
請求項１の考案は、電源ユニットカバー内に変圧及び電力安定の為の電源回路を内蔵、カバー上の開孔から電源出力の為の出力ライン構造を出しており、その出力ライン構造とは、束状接続ライン、マザーボード電源ライン及び少なくとも一組の電源ライン部により構成される電源供給器の出力ライン構造において、
前記束状接続ラインは、その末端に数個の接続体を設け、
前記マザーボード電源ラインは、マザーボード上の対応する差込内に接続するもので、且つ、前述束状接続ラインと同一開孔より出され、
前記電源ライン部の一端は、接続体内に差し込む接続頭とし、もう一端は、少なくとも一つの異なる拡張デバイスの規格に対応する電源コネクタに接続することを特徴とする電源供給器の出力ライン構造としている。
請求項２の考案は、請求項１記載の電源供給器の出力ライン構造において、束状接続ラインは、一本の蛸足接続ラインとすることも可能であり、蛸足接続ラインの末端には蛸足接続体を接続、数多くの電源ライン部を接続可能とすることを特徴とする電源供給器の出力ライン構造としている。
請求項３の考案は、請求項１又は請求項２記載の電源供給器の出力ライン構造において、マザーボード電源ラインは、単独でマザーボード差込み近くに開けた別の開孔から出すことを特徴とする電源供給器の出力ライン構造としている。
【考案の効果】
【０００８】
本考案の電源供給器の出力ライン構造は、束状接続ラインを用いて、拡張方式で接続する電源ライン部に接続したものであり、その製作は簡単で作業時間を減少させ、良好な拡張性を持つだけでなく、ライン部過多による整理困難の問題を克服がある。
【考案を実施するための最良の形態】
【０００９】
図３〜図５に示すとおり、本考案の電源供給器の出力ライン構造は、電源供給器1カバー10内に変圧及び電力安定の為の電源回路20を内蔵、且つ、カバー10上の開孔11から電源出力の為の出力ライン構造30を外に出し、その出力ライン構造30は、束状接続ライン31、マザーボード電源ライン32及び少なくとも一組の電源ライン部33により構成される。
【００１０】
前記束状接続ライン31は、その末端に数個の接続体31aを設ける。
前記マザーボード電源ライン32は、マザーボード上の対応する差込み内に接続するもので、前述の束状接続ライン31と同一開孔11より出され、もしくはマザーボード差込み付近の単独に別に開けた開孔12から出している為、別にラインをマザーボードに引張らなければならない欠点を失くす。
前記電源ライン部33の一端は、接続体31a内に差し込んだ接続頭33aとし、別の一端は少なくとも一つの異なる拡張デバイスの規格に対応する電源コネクタ33bに接続する。
【００１１】
組合わせて使用する場合は、単一電源ライン部33一端の接続頭33aを束状接続ライン31の接続体31a内に差し込んで電力を取り、続いて電源ライン部33のもう一端にある電源コネクタ33bを各種異なる拡張デバイスに接続して電力供給する。
【００１２】
図６、図７に、本考案の別の実施例の立体外観図を示す。カバー10上の開孔11から電源出力の為の出力ライン構造30が出ているが、その出力ライン構造30は、主に、蛸足接続ライン34、マザーボード電源ライン32及び少なくとも一つの電源ライン部33により構成される。
【００１３】
前記蛸足接続ライン34は、その末端に蛸足接続体34aを接続、数多くの電源ライン部を接続するものである。
前記マザーボード電源ライン32は、マザーボード上の対応する差込み内に接続するもので、前記蛸足接続ライン34と同一の開孔11から出ているか、マザーボードの差込み近くに単独で開けた別の開孔12から出ており、マザーボードまで別にラインを引っ張らなければならないという欠点を克服する。
前記電源ライン部33の一端は、蛸足接続ライン34に差し込む接続頭33aであり、もう一端は少なくとも一つの異なる拡張デバイス規格に対応する電源コネクタ33bに接続する。
【図面の簡単な説明】
【００１４】
【図１】従来品の立体外観図である。
【図２】別の従来品の立体外観図である。
【図３】本考案の立体分解図である。
【図４】本考案と拡張デバイス接続の使用見取図である。
【図５】本考案のその他実施例の立体外観図（1）である。
【図６】本考案のその他実施例の立体外観図（2）である。
【図７】本考案のその他実施例の立体外観図（3）である。
【符号の説明】
【００１５】
ａ      電源供給器
ａ1    カバー
ａ2    電源回路
ａ3    電源ライン部
ａ4    電源コネクタ
ａ5    雌コネクタ
ａ6    マザーボード電源ライン
ａ7    電源ライン
ａ71  雄コネクタ
ａ72  電源コネクタ
1      供給器
10    カバー
20    電源回路
30    出力ライン構造
11、12  開孔
31    束状接続ライン
31ａ  接続体
32    マザーボード電源ライン
33    電源ライン部
33ａ  接続頭
33ｂ  電源コネクタ
34    蛸足接続ライン
34ａ  蛸足接続体 
【図１】
0003123340.tif 000003
【図２】
0003123340.tif 000004
【図３】
0003123340.tif 000005
【図４】
0003123340.tif 000006
【図５】
0003123340.tif 000007
【図６】
0003123340.tif 000008
【図７】
0003123340.tif 000009